(57)【特許請求の範囲】
【請求項１】
基台となる基台部に、操作をする操作部を載設し一体化した、主にパンや肉や魚など食品を挟むトングであって、
前記基台部は、
多少柄部が長い板状の略しゃもじ形を呈しており、前部からプレート部と、該プレート部の手前中央部から延びた柄部と、該柄部の他端に設けられた握持部から構成され、
前記操作部は、
前部から挟持部と操作バーと操作箱から構成され、
前記挟持部は、
骨格部材で前部が前記プレート部に重合する挟持アーム部と、その最後部の横方向に形成された凸型レバー部から成り、
前記操作バーは、
棒状で先端部には前記凸型レバー部中央部に係合するＪ型保持部を備え、
該操作バーの他端には前記操作箱を設け、
前記操作箱は、
前記操作バーを前後に可動させる上部面中央部に操作ボタンを具設した板ばねを包含し、
前記基台部のプレート部は、
略四角形でその先端部の横方向は食品の下部面に滑り込みさせやすい薄い板状で、該プレート部の上部面手前の左右にそれぞれ一対の上部を開口部にしたＣ型のレバー支えを具設し、該プレート部裏面部手前側の左右に突起部を形設し、
前記Ｃ型レバー支えは、
前記凸型レバー部の両端に脱着可能に係合し、
前記挟持アーム部が開閉自在に把持する径を有し、
前記凸型レバー部は前記Ｃ型レバー支えを介して前記挟持アーム部が開閉自在となり、
前記柄部は、
前記プレート部の先端部に対し手前中央部より長手方向に末広がりの縦長でその他端は前記握持部を形成し、
前記握持部は、
片手に収まる程度の大きさで滑りにくく握りやすい中央部が多少太い形状を有したことを特徴とするトング。
【請求項２】
骨格部材の前記挟持アーム部とその最後部に形成された前記凸型レバー部から成る前記挟持部は、
前記プレート部相当の大きさを有し、
その縦方向は左右対称に湾曲し、
その横方向の先端部は波型を呈し、
その先端部から後方にかけて挟持対象物が該挟持部から落ちない程度の複数のバーを設け、
前記凸型レバー部の凸部は、
前記プレート部に対し鉛直線より多少前方に傾斜した状態で起立し、
該凸型レバー部の左右は前記Ｃ型レバー支えに脱着可能に係合し、
その凸部中央部は、棒状の前記操作バーの先端部のＪ型保持部と回動自在に係合し、
前記Ｊ型保持部は、
先端部がＪ型を呈し前記凸型レバー部を脱着可能に保持し、
前記操作バーの先端部のＪ型保持部より延びたその他端と、Ｃ字形を呈した前記板バネを、
そのＣ字形の左側を前方向にした状態でその先端部と着設し、
前記板バネは、
前記操作箱内部にＣ字形の左側を前方向にして収納され、該板バネ上部面の左右両端に鋸歯型の噛合つめを形成し、
前記操作ボタンは、
上部面の横方向に滑り止めの溝を設けた、親指で操作できる程度の大きさを有し、
前記板バネの上部中央に前記操作箱の上部面に多少突出するように着設し、
前記操作箱の手前方向の端まで該操作ボタンを押しながら引いた時、前記プレート部に対し前記挟持アーム部の先端部が上方に開口するように内設し、
さらに、前記操作ボタンを押しながら前方向にスライドさせ前記プレート部に前記挟持アーム部の先端部が咬合する時、該操作ボタンの位置が前記操作箱の先端部で停止するように前記操作ボタンを前記操作箱に内設し、
前記操作箱は、
親指より大きめの略長方体を呈し、前記握持部の下方で前記柄部の上部位置に固設し、
その前方向の側面部は、前記操作バーが可動できるように一部が開放され、その上部面の左右に前記板バネを該操作箱内に包含するためのガイド板を設け、
前記ガイド板の左右に、裏面部手前から前方向に前記板バネが有する鋸歯型の噛合つめが噛合する鋸歯型溝を延設し、
前記操作箱上部面中央部に前記操作ボタンが前後にスライドする幅を設け、
該操作ボタンを指で押しながら前方向にスライドさせることにより、前記操作バーが前記Ｃ型レバー支えを介して前記凸型レバー部が前方に可動し、前記挟持アーム部が前記プレート部に載せた挟持対象物を上部から挟み該操作ボタンが停止する、その停止部でその指を放すことにより、前記鋸歯型の噛合つめと前記鋸歯型溝が噛合し前記プレート部と前記挟持アーム部が咬合状態となりロックし、前記操作ボタンを指で押し僅かに手前に引くことにより前記鋸歯型の噛合つめと前記鋸歯型溝が係脱しロックが解除され、さらに該操作ボタンを指で押しながら手前に引くことにより前記挟持アーム部が開口する構成としたことを特徴とした請求項１のトング。
【発明の詳細な説明】
【技術分野】
【０００１】  本考案は、パンの他、肉や魚など主に食品をプレートに載せ、それを挟み保持するトングに関するものである。
【背景技術】
【０００２】  一般にパン屋さんで見かけるトングは、弾性を有する金属製やプラスチック製の幅の狭い縦長の一枚の板を、その中央部を支点に左右対称にＵ字形に折曲形成し、その左右の先端部が挟持部とし該挟持部の上部を握持部として、該握持部を手で握ることで該挟持部の左右の先端部が閉じてパンを保持するものがある。【０００３】  左右同形状の一対の部材から構成されその一端にヒンジを具備し開閉可能に連結したトングやその支点部にバネを設けたものがある。また、はさみのように二本の部材の交差部を軸に回動する挟持部と握持部を上下左右に有するものがあるが、それらの先端部は肉や魚やの他、麺類やピザなど対象とする食品により多種の形状を有している。また、その部材はプラスチック製や金属製が多いが、組立式で使い捨ての紙製の物もある（例えば、特許文献５参照。）。【０００４】  また、料理用には先端部の左右が異なる形状をしたトングの他、先端部がスプーン状やナイフ状のものなど単に挟持するだけでなく料理道具の機能を備えているものがある（例えば、特許文献２参照。）。【０００５】  一対の細長部材の一端にヒンジを具備しヒンジピン部にロック機能を設けグリップ部をねじることによりロックするトングがある（例えば、特許文献４参照。）。【０００６】  一般的にトングは多少の握力が必要であるが、挟む対象物の形状や重さにより握力の弱い人は挟んだ物を落としてしまうことがある。【０００７】  プレート部に挟持対象物を載せ、上部からそれを挟んで保持するトングがなかった。【０００８】  指先の簡単な操作で、挟持部をロックし、その解除も簡単なトングがなかった。【０００９】  トングの挟持部の脱着が容易で洗い易いトングがなかった。
【先行技術文献】
【特許文献】
【００１０】
【特許文献１】特開２０１４−１１３３５１号公報
【特許文献２】特開２００６−２６３４１６号公報
【特許文献３】特開２００２−３５５１６０号公報
【特許文献４】特表２００６−５０４４５４号公報
【特許文献５】特開２００７−１５１９８８号公報
【発明の概要】
【発明が解決しようとする課題】
【００１１】  これは、以下のような問題がある。
従来の多くのトングは、握力の弱い特にこどもや高齢者は挟持対象物を落とすことがあった。【００１２】  僅かな指の操作で、挟持対象物を保持するロック機能を有し、その解除も簡単なトングがなかった。また、挟持部が脱着可能で洗い易いトングなかった。【００１３】  従って、本発明の意図することは、こどもや高齢者また身障者も簡単に使用できる挟持対象物を落としにくい上、手入れが容易なトングを提供しようとするものである。
【課題を解決する手段】
【００１４】  本発明は、以下の構成によって課題を解決できる。
本発明のトングは、
基台となる基台部に、操作をする操作部を載設し一体化した、主にパンや肉や魚など食品を挟むトングであって、
前記基台部は、
多少柄部が長い板状の略しゃもじ形を呈しており、前部からプレート部と、該プレート部の手前中央部から延びた柄部と、該柄部の他端に設けられた握持部から構成され、
前記操作部は、
前部から挟持部と操作バーと操作箱から構成され、
前記挟持部は、
骨格部材で前部が前記プレート部に重合する挟持アーム部と、その最後部の横方向に形成された凸型レバー部から成り、
前記操作バーは、
棒状で先端部には前記凸型レバー部中央部に係合するＪ型保持部を備え、
該操作バーの他端には前記操作箱を設け、
前記操作箱は、
前記操作バーを前後に可動させる上部面中央部に操作ボタンを具設した板ばねを包含し、
前記基台部のプレート部は、
略四角形でその先端部の横方向は食品の下部面に滑り込みさせやすい薄い板状で、該プレート部の上部面手前の左右にそれぞれ一対の上部を開口部にしたＣ型のレバー支えを具設し、該プレート部裏面部手前側の左右に突起部を形設し、
前記Ｃ型レバー支えは、
前記凸型レバー部の両端に脱着可能に係合し、
前記挟持アーム部が開閉自在に把持する径を有し、
前記凸型レバー部は前記Ｃ型レバー支えを介して前記挟持アーム部が開閉自在となり、
前記柄部は、
前記プレート部の先端部に対し手前中央部より長手方向に末広がりの縦長でその他端は前記握持部を形成し、
前記握持部は、
片手に収まる程度の大きさで滑りにくく握りやすい中央部が多少太い形状を有したことを特徴とするトング。
【００１５】  本発明のトングにおいて、骨格部材の前記挟持アーム部とその最後部に形成された前記凸型レバー部から成る前記挟持部は、
前記プレート部相当の大きさを有し、
その縦方向は左右対称に湾曲し、
その横方向の先端部は波型を呈し、
その先端部から後方にかけて挟持対象物が該挟持部から落ちない程度の複数のバーを設け、
前記凸型レバー部の凸部は、
前記プレート部に対し鉛直線より多少前方に傾斜した状態で起立し、
該凸型レバー部の左右は前記Ｃ型レバー支えに脱着可能に係合し、
その凸部中央部は、棒状の前記操作バーの先端部のＪ型保持部と回動自在に係合し、
前記Ｊ型保持部は、
先端部がＪ型を呈し前記凸型レバー部を脱着可能に保持し、
前記操作バーの先端部のＪ型保持部より延びたその他端と、Ｃ字形を呈した前記板バネを、
そのＣ字形の左側を前方向にした状態でその先端部と着設し、
前記板バネは、
前記操作箱内部にＣ字形の左側を前方向にして収納され、該板バネ上部面の左右両端に鋸歯型の噛合つめを形成し、
前記操作ボタンは、
上部面の横方向に滑り止めの溝を設けた、親指で操作できる程度の大きさを有し、
前記板バネの上部中央に前記操作箱の上部面に多少突出するように着設し、
前記操作箱の手前方向の端まで該操作ボタンを押しながら引いた時、前記プレート部に対し前記挟持アーム部の先端部が上方に開口するように内設し、
さらに、前記操作ボタンを押しながら前方向にスライドさせ前記プレート部に前記挟持アーム部の先端部が咬合する時、該操作ボタンの位置が前記操作箱の先端部で停止するように前記操作ボタンを前記操作箱に内設し、
前記操作箱は、
親指より大きめの略長方体を呈し、前記握持部の下方で前記柄部の上部位置に固設し、
その前方向の側面部は、前記操作バーが可動できるように一部が開放され、その上部面の左右に前記板バネを該操作箱内に包含するためのガイド板を設け、
前記ガイド板の左右に、裏面部手前から前方向に前記板バネが有する鋸歯型の噛合つめが噛合する鋸歯型溝を延設し、
前記操作箱上部面中央部に前記操作ボタンが前後にスライドする幅を設け、
該操作ボタンを指で押しながら前方向にスライドさせることにより、前記操作バーが前記Ｃ型レバー支えを介して前記凸型レバー部が前方に可動し、前記挟持アーム部が前記プレート部に載せた挟持対象物を上部から挟み該操作ボタンが停止する、その停止部でその指を放すことにより、前記鋸歯型の噛合つめと前記鋸歯型溝が噛合し前記プレート部と前記挟持アーム部が咬合状態となりロックし前記操作ボタンを指で押し僅かに手前に引くことにより前記鋸歯型の噛合つめと前記鋸歯型溝が係脱しロックが解除され、さらに該操作ボタンを指で押しながら手前に引くことにより前記挟持アーム部が開口する構成としたことを特徴とした請求項１のトング。
【発明の効果】
【００１６】  本発明のトングによれば、プレート部に挟持対象物を載せ、操作ボタンを指で押しながら手前に引いてから、該操作ボタンを指で前方向にスライドさせることにより、Ｃ型レバー支えを介し凸型レバーを前方向に押すことにより挟持アーム部が前記プレート部上部からその挟持対象物を挟み、その指を該ボタンから放すと挟持部がロックされるためそれを容易に保持することができる。そのため握力の弱いこどもや高齢者や身障者でも簡単に操作できる。
【図面の簡単な説明】
【００１７】
【図１】本発明を示す概略斜視図である。
【図２】本発明の基台部を示す平面図である。
【図３】本発明の挟持アーム部が閉じた状態を示す平面図である。
【図４】本発明の挟持アーム部が閉じた状態を示す断面図である。
【図５】本発明の挟持アーム部が開いた状態を示す断面図である。
【発明を実施するための形態】
【００１８】  以下、本発明に係るトングの実施の形態を図１〜図５に基づいて説明する。
図１に示すように基台となる基台部１と操作をする操作部７を載設し一体化したトングであって、図２に示すように基台部１は少柄部が長い略しゃもじ形を呈しており、前部からプレート部２と柄部３と握持部４を形成し、操作部は図３に示すように前部から挟持部８と操作バー１１と操作箱１７から形成されている。
【００１９】  図２に示すように、食品を載せる前記プレート部２は略四角形を呈し先端部の横方向は食品の下部面に滑り込みやすいように薄い板状となっている。しかし挟持対象物を限定する場合は、プレート部の大きさを変えたり両サイドにガイドを設ける余地がある。
【００２０】  図４に示すように前記プレート部２裏面部手前側の左右に、調理台などを油などで汚さない程度の突起部５を設けている。なお、前記プレート部２と前記挟持部８は耐熱性プラスチックや腐食しにくい金属の部材を使用する事が望ましいが、てんぷらなど高温の油の中で使用する場合は、前記握持部４に熱伝導しにくいゴムやプラスチックなどで保護することが望ましい上、プラスチックにおいては耐熱性の他、耐油性でもあることが望ましい。
【００２１】  図１に示すように前記挟持部８は、骨格部材で前記プレート部相当の大きさを有し前部が該プレート部２に重合する食品を挟む挟持アーム部９とその最後部の横方向に形成された凸型レバー部１０から構成され該挟持アーム部９の横方向の先端部は、食品を挟みやすいように波型を呈しその縦方向左右対称に湾曲し、その先端部から後方にかけて食品が落ちない程度に複数のバーを設けられている。なお、前記挟持アーム部の先端部は波型に限定するものではなく挟持対象物により適宜その形状を変える事が望ましい。
【００２２】  図３に示すように、前記プレート部２の上部面手前左右にそれぞれ一対のＣ型レバー支え６を前記凸型レバー部１０の両端に脱着可能に係合するように設け、さらに該Ｃ型レバー支え６を介し前記挟持アーム部９が開閉自在に把持する径を設け、前記凸型レバー部１０の凸部は前記プレート部２に対し鉛直線より多少前方に傾斜した状態で起立するように設けられている。なお、前記Ｃ型レバー支え６は、前記凸型レバー部１０の左右を脱着可能に係合し前記挟持アーム部９を開閉自在に把持するものであり、同様に前記凸型レバー部１０を脱着可能に係合し前記挟持アーム部９を開閉自在に把持する径を有する筒状であっても同じ効果が得られる。
【００２３】  図２に示すように、前記柄部３は前記プレート部２先端部に対し手前中央部より長手方向に末広がりでその他端は前記握持部４を形成されている。該握持部４は、片手に収まる程度の大きさを有し握り易いようにその中央部が多少太い形状になっている。柄部の長さは、火力の強い場所や挟持対象物などにより適宜調整することが望ましい。また収納しやすいように握持部の上部にフックや係合用の穴を設ける事が望ましい。
【００２４】  図１に示すように、前記操作バー１１は棒状でその先端部はＪ型保持部１２を備え前記凸型レバー部１０の凸部中央部に回動自在に係合し、その他端は前記操作箱１７に包含されたＣ字形を呈した板バネ１３のそのＣ字を左側を前方向にした状態でその先端部と着設されている。なお、前記凸型レバー部１０の凸部中央部に係合する前記Ｊ型保持部１２の左右には該Ｊ型保持部１２が移動しないようにそのＪ型の係合部左右にガイドを設けるかその凸部中央左右にパッキンを設けるなどにより該Ｊ型保持部１２の安定性が向上するようになる。
【００２５】  前記操作箱１７は、図４に示すように、前記柄部３の上部で握持部４の下部に固設された親指より大きめの略長方体を呈し、その前方向の側面は前記操作バー１１が可動できるように一部が開放されその上部面の左右に前記板バネ１３を該操作箱１７内に包含するためのガイド板１８を設け、さらに上部面に中央部に操作ボタン１６が前後にスライドする幅が設けられている。
【００２６】  前記操作ボタン１６は、図１に示すように上部面に滑り止めを設けた親指で操作できる程度の大きさで、前記操作箱１７の上部中央に上部面を多少突出するように前記Ｃ字形を呈した板バネ１３の上部に着設されている。
そして図５に示すように前記操作ボタン１６を、前記操作箱１７の手前方向の端まで指で押しながら引いた時に前記挟持アーム部９の先端部が上方に開口するように内設され、さらに図４に示すように前記操作ボタン１６を指で押しながら前方向にスライドさせ前記操作箱１７の前部で停止した時、前記プレート部２に前記挟持アーム部９の先端部が咬合するように、該操作箱１７に内設されている。
【００２７】  前記操作箱１７に包含されているＣ字形を呈した前記板バネ１３と前記ガイド板１８の構成は図５に示すように、前記板バネ１３は、上部面左右に鋸歯型の噛合つめ１４を有し、前記ガイド板１８は裏面部手前から前方向に前記板バネ１３の左右両端の噛合つめ１４と噛合する鋸歯型溝１５が延設されている。
【００２８】  図４に示すように、前記操作ボタン１６を指で押しながら前方向にスライドさせることにより前記操作バー１１が前記Ｃ型レバー支え６を介して前記凸型レバー部１０が前方向に押し前記挟持アーム部９が閉じて挟持対象物を挟む。その時点でその指を前記操作ボタン１６から放すことにより、前記板バネ１３の噛合つめ１４と前記ガイド板１８裏面部の鋸歯型溝１５が噛合することにより前記プレート部２と前記挟持アーム部９が咬合状態となりロックされ挟持対象物を保持する。そして、前記操作ボタン１６を指で押しながら僅かに手前に引くことより前記鋸歯型の噛合つめ１４と前記鋸歯型溝１５が係脱しロックが解除され、さらに図５に示すように前記操作ボタン１６を手前に引くことにより前記挟持アーム部９が開口するように構成されている。
なお、ロック機能を設けるために使用した板バネは、代替えにコイルばねやねじりバネを使用しても同様の効果が有られる。
【符号の説明】
【００２９】  １  基台部
２  プレート部
３  柄部
４  握持部
５  突起部
６  Ｃ型レバー支え
７  操作部
８  挟持部
９  挟持アーム部
１０  凸型レバー部
１１  操作バー
１２  Ｊ型保持部
１３  板バネ
１４  噛合つめ
１５  鋸歯型溝
１６  操作ボタン
１７  操作箱
１８  ガイド板
【要約】
【課題】一般に食品を挟むトングは、片手で握る必要があった。挟む対象によっては、重さや形状が異なりしっかり挟み把持しないと落とすことがあった。特にこどもや、高齢者などにとってはトングが扱いにくい事があった。
【解決手段】前部に食品を載せるプレート部を有した基台部と他方の前部に挟持部を有した操作部から成るトングで、操作ボタンを指で押しながら前方向にスライドさせることにより、前記プレート部に設けられたＣ型レバー支えを介して凸型レバー部が前方向に押され挟持アーム部が該プレート部上部からその食品を挟み停止する。その停止部でその指を該操作ボタンから放すことにより、該操作ボタンの下部の板バネに設けられた鋸歯型つめが前記操作箱のガイド板裏面部の鋸歯型溝に噛合するためロックしその食品を保持する。前記操作ボタンを押し手前に引くことにより前記鋸歯型のつめと溝が係脱しロックが解除するようになる。
【選択図】図１【図１】
0006041404.tif 000002
【図２】
0006041404.tif 000003
【図３】
0006041404.tif 000004
【図４】
0006041404.tif 000005
【図５】
0006041404.tif 000006